(57)【要約】【課題】洗い場への取り付け作業を簡便にすることができ、確実に洗い場に取り付けることができるパネル固定具を提供する。【解決手段】パネル固定具は、洗い場の立上げ面部２に取り付けられる洗い場取付部１１と、パネルが取り付けられるパネル取付部１７とから構成され、洗い場取付部１１が、パネル第二取付部１９の下方に連接されると共にパネル第一取付部１８と同一平面上に配置されて立上げ面部２の裏面と対面する腕基部１２と、この腕基部１２から立上げ面部２の表面側に向けて伸びると共に立上げ面部２の上端および表面に引っ掛かり、かつ、立上げ面部２とパネルとの隙間においてパネルを支持する上腕部１４と、腕基部１２から下方に向けて伸びると共に洗い場の裏側に向けて湾曲して立上げ面部２の下端に引っ掛かる下腕部１６とから構成されている。【選択図】図１７
2019035229.tif 000002
【特許請求の範囲】
【請求項１】
浴室の洗い場に取り付けられる洗い場取付部と、浴室のパネルが取り付けられるパネル取付部とから構成され、洗い場にパネルを固定するために用いられるパネル固定具において、
前記洗い場取付部が、洗い場の立上げ面部に引っ掛かる上腕部を有し、洗い場に引っ掛って留められる、
ことを特徴とするパネル固定具。
【請求項２】
前記洗い場取付部が、洗い場の裏側に引っ掛かる下腕部を有する、
ことを特徴とする請求項１に記載されたパネル固定具。
【請求項３】
前記上腕部が、前記立上げ面部とパネルとの隙間に倣った厚みに形成された、
ことを特徴とする請求項１または請求項２に記載されたパネル固定具。
【請求項４】
前記下腕部が、下方に向けて伸びると共に洗い場の裏側に向けて湾曲した、
ことを特徴とする請求項１から請求項３のいずれか１項に記載されたパネル固定具。
【請求項５】
前記パネル取付部が、
パネルの裏面と対面するパネル第一取付部と、
前記パネル第一取付部の下方に連接されると共にこのパネル第一取付部よりもパネルの裏面に近い位置でパネルと対面するパネル第二取付部と、から構成され、
前記洗い場取付部が、
前記パネル第二取付部の下方に連接されると共に前記パネル第一取付部と同一平面上に配置されて前記立上げ面部の裏面と対面する腕基部と、
前記腕基部から前記立上げ面部の表面側に向けて伸びると共に前記立上げ面部の上端および表面に引っ掛かり、かつ、前記立上げ面部とパネルとの隙間においてパネルを支持する上腕部と、
前記腕基部から下方に向けて伸びると共に洗い場の裏側に向けて湾曲して前記立上げ面部の下端に引っ掛かる下腕部と、から構成された、
ことを特徴とする請求項１に記載されたパネル固定具。
【発明の詳細な説明】
【技術分野】
【０００１】
本発明は、浴室の洗い場にパネルを固定する際に用いられるパネル固定具に関するものである。
【背景技術】
【０００２】
従来、浴室の洗い場にパネルを固定するために、例えば、下記特許文献１に記載された壁パネル固定構造がある。この壁パネル固定構造は、洗い場に壁パネルを取り付ける際、浴槽の端部に形成された浴槽側立壁に壁パネルを連結させるものである。浴槽側立壁は、上端に柱状のポストが取り付けられ、側端にクリップ金具が取り付けられている。このポストとクリップ金具を介して壁パネルが浴槽側立壁に連結されることで、洗い場に壁パネルが取り付けられる。
【０００３】
また、他の技術として、洗い場の縁に形成された立上げ面部に壁パネルを取り付けるために用いられる固定具がある。この固定具は、平板状であり、下部が立上げ面部に当てられた状態でネジで固定され、上部に壁パネルが取り付けられる。
【先行技術文献】
【特許文献】
【０００４】
【特許文献１】特開２００２−２７６０５２号公報
【発明の概要】
【発明が解決しようとする課題】
【０００５】
しかし、上記した固定具は、下部を洗い場の立上げ面部に当てる手順、その後ネジで固定する手順を経るため、作業が煩雑である。また、固定具は平板状であり、ネジで固定する前に、下部を洗い場の立上げ面部に当てる手順を経るため、その際、洗い場と駆体との隙間から固定具が落下する場合がある。
【０００６】
本発明は、この様な実情に鑑みて提案されたものである。すなわち、洗い場への取り付け作業を簡便にすることができ、確実に洗い場に取り付けることができるパネル固定具の提供を目的とする。
【課題を解決するための手段】
【０００７】
上記目的を達成するために、本発明に係るパネル固定具は、浴室の洗い場に取り付けられる洗い場取付部と、浴室のパネルが取り付けられるパネル取付部とから構成され、洗い場にパネルを固定するために用いられるパネル固定具において、前記洗い場取付部が、洗い場の立上げ面部に引っ掛かる上腕部を有し、洗い場に引っ掛って留められる、ことを特徴とする。
【０００８】
本発明に係るパネル固定具は、前記洗い場取付部が、洗い場の裏側に引っ掛かる下腕部を有する、ことを特徴とする。
【０００９】
本発明に係るパネル固定具は、前記上腕部が、前記立上げ面部とパネルとの隙間に倣った厚みに形成された、ことを特徴とする。
【００１０】
本発明に係るパネル固定具は、前記下腕部が、下方に向けて伸びると共に洗い場の裏側に向けて湾曲した、ことを特徴とする。
【００１１】
本発明に係るパネル固定具は、前記パネル取付部が、パネルの裏面と対面するパネル第一取付部と、前記パネル第一取付部の下方に連接されると共にこのパネル第一取付部よりもパネルの裏面に近い位置でパネルと対面するパネル第二取付部と、から構成され、前記洗い場取付部が、前記パネル第二取付部の下方に連接されると共に前記パネル第一取付部と同一平面上に配置されて前記立上げ面部の裏面と対面する腕基部と、前記腕基部から前記立上げ面部の表面側に向けて伸びると共に前記立上げ面部の上端および表面に引っ掛かり、かつ、前記立上げ面部とパネルとの隙間においてパネルを支持する上腕部と、前記腕基部から下方に向けて伸びると共に洗い場の裏側に向けて湾曲して前記立上げ面部の下端に引っ掛かる下腕部と、から構成された、ことを特徴とする。
【発明の効果】
【００１２】
本発明に係るパネル固定具は、洗い場取付部が、洗い場の立上げ面部に引っ掛かる上腕部を有し、洗い場に引っ掛って留められる構成である。すなわち、上腕部が洗い場の立上げ面部に引っ掛かることで、洗い場取付部が洗い場に留められる。したがって、ネジで固定する手順を経ることなく、洗い場への取り付け作業を簡便にすることができる。また、パネル固定具は、上腕部の分だけ厚みがあり、洗い場取付部を立上げ面部に当てると同時に引っ掛かって留められるため、立上げ面部と駆体との隙間に入ることがなく、確実に洗い場に取り付けることができる。このように、洗い場取付部が洗い場に引っ掛かって留められる構成であれば、取付位置を容易にずらして変えることができる。例えば、立上げ面部において仮の位置にパネル固定具を取り付け、後にパネル固定具を立上げ面部に沿ってずらすことで所望の位置へ移動させることができる。
【００１３】
本発明に係るパネル固定具は、洗い場取付部が、洗い場の裏側に引っ掛かる下腕部を有している。すなわち、上腕部および下腕部によって立上げ面部を上下から挟むことで洗い場取付部が洗い場に引っ掛かって留められる。したがって、パネル固定具を洗い場に堅固に取り付けることができる。
【００１４】
本発明に係るパネル固定具は、上腕部が、立上げ面部とパネルとの隙間に倣った厚みに形成されている。この構成により、パネル取付部と上腕部との二点でパネルが支持される。したがって、パネル固定具に対するパネルの取付状態を安定させることができる。
【００１５】
本発明に係るパネル固定具は、下腕部が、下方に向けて伸びると共に洗い場の裏側に向けて湾曲している。この構成により、パネル固定具が洗い場に取り付けられる際、下腕部が立上げ面部と駆体との隙間に通されると共に弾性変形する。下腕部は、湾曲している分、駆体と接触する面が少なく、また、駆体と接触しても駆体に沿って円滑に摺動する。したがって、立上げ面部と駆体との隙間が狭い場合であっても容易に取り付けることができる。
【００１６】
本発明に係るパネル固定具は、パネル取付部が、パネルの裏面と対面するパネル第一取付部と、パネル第一取付部の下方に連接されると共にこのパネル第一取付部よりもパネルの裏面に近い位置でパネルと対面するパネル第二取付部と、から構成され、洗い場取付部が、パネル第二取付部の下方に連接されると共にパネル第一取付部と同一平面上に配置されて立上げ面部の裏面と対面する腕基部と、腕基部から立上げ面部の表面側に向けて伸びると共に立上げ面部の上端および表面に引っ掛かり、かつ、立上げ面部とパネルとの隙間においてパネルを支持する上腕部と、腕基部から下方に向けて伸びると共に洗い場の裏側に向けて湾曲して立上げ面部の下端に引っ掛かる下腕部と、から構成されている。したがって、種々の凹凸が形成され、この形状が、作業者が把持する際のいわゆる掴み代となることで、洗い場への取り付け作業を簡便にすることができる。
【図面の簡単な説明】
【００１７】
【図１】本発明の第一実施形態に係るパネル固定具の使用状態が示された斜視図である。
【図２】本発明の第一実施形態に係るパネル固定具の使用状態が拡大されて示され、（ａ）は図１のＡ部分において浴室の内側から視した概略拡大斜視図、（ｂ）は図１のＢ部分において浴室の内側から視した概略拡大斜視図、（ｃ）は図１のＢ部分において浴室の外側から視した概略拡大斜視図である。
【図３】本発明の第一実施形態に係るパネル固定具を、前側である正面側から視した斜視図である。
【図４】本発明の第一実施形態に係るパネル固定具を、後側である背面側から視した斜視図である。
【図５】本発明の第一実施形態に係るパネル固定具の正面図である。
【図６】本発明の第一実施形態に係るパネル固定具の背面図である。
【図７】本発明の第一実施形態に係るパネル固定具を上方から視した平面図である。
【図８】本発明の第一実施形態に係るパネル固定具を下方から視した底面図である。
【図９】本発明の第一実施形態に係るパネル固定具を幅方向の右方から視した右側面図である。
【図１０】本発明の第二実施形態に係るパネル固定具を正面側から視した斜視図である。
【図１１】本発明の第二実施形態に係るパネル固定具を背面側から視した斜視図である。
【図１２】本発明の第二実施形態に係るパネル固定具の正面図である。
【図１３】本発明の第二実施形態に係るパネル固定具の背面図である。
【図１４】本発明の第二実施形態に係るパネル固定具の平面図である。
【図１５】本発明の第二実施形態に係るパネル固定具の底面図である。
【図１６】本発明の第二実施形態に係るパネル固定具の右側面図である。
【図１７】本発明の第一実施形態に係るパネル固定具の取り付け過程が示され、(ａ)はパネル固定具が取り付けられる直前の状態の斜視図、（ｂ）はパネル固定具が取り付けられる途中の状態の斜視図、（ｃ）はパネル固定具が取り付けられた状態の斜視図である。
【図１８】本発明の第一実施形態に係るパネル固定具の取り付け過程が示され、(ａ)はパネル固定具が取り付けられる直前の状態の概略右側面図、（ｂ）はパネル固定具が取り付けられる途中の状態の概略右側面図（ｃ）はパネル固定具が取り付けられた状態の概略右側面図である。
【図１９】本発明の第一実施形態に係るパネル固定具の取り付け状態の断面が示された取付状態概略断面図である。
【発明を実施するための形態】
【００１８】
以下に、本発明の実施形態に係るパネル固定具を図面に基づいて説明する。図１は、組み立て途中の浴室の全体の斜視図であって、本発明の第一実施形態に係るパネル固定具１０の使用状態が示され、図２は、パネル固定具１０の使用状態が拡大されて示されている。
【００１９】
図１に示されているとおり、パネル固定具１０は、浴室の洗い場１において、洗い場１の端において洗い場１とほぼ直角に連接された立上げ面部２に、パネル３が取り付けられて固定される際に用いられる。浴室では、複数のパネル３が、パネル固定具１０を介して連結される。パネル３は、平坦な長方形であって、浴室側が表面であり、反対側が裏面である。パネル３の長辺の縁は、長手のアングル４が取り付けられている。図２に示されているとおり、アングル４は、被ネジ留部５が適宜形成されている。パネル３は、裏面がパネル固定具１０に当てられて固定される。なお、以下の説明では、図２（ａ）に記載されているとおり、立上げ面部２の高さ方向を上方または下方とし、立上げ面部２の長さ方向を幅方向とする。また、パネル３に近づく方向を前側とし、パネル３から離れる方向を後側とする。
【００２０】
ここで、パネル固定具１０を図面に基づいて詳説する。図３から図９は、パネル固定具１０の外観が示されている。また、図１０から図１６は、本発明の第二実施形態に係るパネル固定具１１０が示されている。
【００２１】
図３から図９に示されているとおり、パネル固定具１０は、薄板状の部材に凹凸が形成され、立上げ面部２に取り付けられる洗い場取付部１１と、パネル３のアングル４が取り付けられるパネル取付部１７とから構成されている。
【００２２】
パネル取付部１７は、アングル４の裏面と対面するパネル第一取付部１８と、このパネル第一取付部１８の下方に連接されたパネル第二取付部１９とから構成されている。詳説すれば、パネル第一取付部１８は、平板状であって、幅方向に長い長方形である。パネル第二取付部１９も、平板状であって、幅方向に長い長方形であり、かつ、パネル第一取付部１８と比較して上下に長く形成されている。パネル第一取付部１８およびパネル第二取付部１９は、段違いに連接され、パネル第二取付部１９が、パネル第一取付部１８よりも厚み方向において前側に配置されている。また、パネル第一取付部１８およびパネル第二取付部１９はそれぞれ、幅方向に並んだ三つのネジ孔２０が形成されている。
【００２３】
洗い場取付部１１は、パネル第二取付部１９の下方に連接された腕基部１２と、この腕基部１２に連接された上腕部１４および下腕部１６とから構成されている。詳説すれば、腕基部１２は、平板状であって、上下に長い長方形である。腕基部１２は、パネル取付部１７のパネル第二取付部１９と段違いに連接され、パネル第二取付部１９よりも厚み方向において後側に配置されている。また、腕基部１２は、パネル取付部１７のパネル第一取付部１８と同一平面上に配置されている。上腕部１４は、フック状であり、幅方向における左右一対で構成されている。上腕部１４は、腕基部１２の左右縁から、厚み方向において、パネル第二取付部１９よりも前側に伸びており、前端に平坦な前端面部１５が形成されている。下腕部１６は、腕基部１２の下端に連接され、下方に向けて伸びると共に、厚み方向における前側に向けて湾曲している。この構成により、上腕部１４と下腕部１６とで係止部１３が形成されている。
【００２４】
なお、パネル取付部１７のネジ孔２０の数は任意であり、例えば、図１０から図１６に示されているとおり、パネル固定具１１０では、パネル第一取付部１１８およびパネル第二取付部１１９はそれぞれ、二つのネジ孔１２０が形成されている。パネル取付部１１７の幅の広狭は、ネジ孔２０の数に応じて適宜決定される。なお、他の構成はパネル固定具１０と同一であるため、図示をもって説明を省略する。
【００２５】
以上のとおり、パネル固定具１０，１１０が構成されている。次に、パネル固定具１０の使用方法を図面に基づいて説明する。図１７および図１８は、パネル固定具１０を立上げ面部２に取り付ける過程が示され、図１９は、図１におけるＡ部分において、パネル固定具１０が立上げ面部２に取り付けられ、このパネル固定具１０にパネル３が取り付けられた状態の断面の概略が示されている。
【００２６】
図１７および図１８に示されているとおり、パネル固定具１０は、係止部１３が洗い場１の立上げ面部２に係止する。詳説すれば、下腕部１６が立上げ面部２と駆体６との隙間に通され、洗い場取付部１１の上腕部１４が、立上げ面部２に引っ掛かかって留められる。上腕部１４は、腕基部１２から立上げ面部２の表面側に向けて伸びているため、立上げ面部２の上端および表面に引っ掛かる。また、下腕部１６は、洗い場１の裏側に向けて湾曲しているため、洗い場１の裏側において立上げ面部２の下端に引っ掛かる。立上げ面部２に取り付けられたパネル固定具１０は、洗い場１に対してほぼ垂直であり、かつ、立上げ面部２に沿って上方に向けてほぼ真っすぐ立っている。腕基部１２は、立上げ面部２の裏面と間を空けて対面している。なお、仮に、立上げ面部２と駆体６との隙間が狭い場合、下腕部１６が弾性変形しながら立上げ面部２と駆体６との隙間に通される。
【００２７】
図１９に示されているとおり、パネル固定具１０のパネル取付部１７に、パネル３が取り付けられる。詳説すれば、パネル３におけるアングル４の被ネジ留部５が、パネル取付部１７のパネル第一取付部１８に当てられると共に、アングル４がパネル取付部１７のパネル第二取付部１９に当てられる。パネル第二取付部１９は、パネル第一取付部１８よりもパネル３に近い位置でパネル３と対面して接触している。また、アングル４が、上腕部１４の前端面部１５に当てられる。すなわち、アングル４がパネル取付部１７に当てられた状態で、上腕部１４が立上げ面部２とパネル３との隙間２１に倣った厚みに形成されているため、立上げ面部２とパネル３との隙間２１において上腕部１４によってパネル３が支持される。この状態で、浴室側から被ネジ留部５およびパネル第一取付部１８のネジ孔２０にネジが螺合され、パネル３がパネル固定具１０に取り付けられる。このようにして、パネル固定具１０を介して洗い場１にパネル３が固定される。なお、パネル第二取付部１９のネジ孔２０は、例えば、浴室の扉が配置される個所に設けられたアングル４が、パネル取付部１７に当てられた際に用いられる（図２（ｃ）参照）。
【００２８】
以上のとおり、本発明の実施形態に係るパネル固定具１０が構成されている。次に、本実施形態に係るパネル固定具１０の効果を説明する。
【００２９】
上記したとおり、パネル固定具１０は、厚み方向において前側に伸びたフック状の上腕部１４と、下方に向けて伸びると共に、厚み方向における前側に向けて湾曲した下腕部１６とを有している（図３参照）。この構成により、上腕部１４は、立上げ面部２の上端および表面に引っ掛かり、また、下腕部１６は、洗い場１の裏側において立上げ面部２の下端に引っ掛かる（図１７参照）。したがって、上腕部１４および下腕部１６によって立上げ面部２を上下から挟むことで洗い場取付部１１が立上げ面部２に引っ掛かって留められ、パネル固定具１０を洗い場１に堅固に取り付けることができる。また、ネジで留める手順を経ることなく、立上げ面部２への取り付け作業を簡便にすることができる。
【００３０】
パネル固定具１０は、上腕部１４の分だけ厚みがあり、洗い場取付部１１が立上げ面部２に当たると同時に引っ掛かって留められるため、立上げ面部２と駆体６との隙間に入ることがなく、確実に立上げ面部２に取り付けることができる（図１８参照）。このように、洗い場取付部１１が立上げ面部２に引っ掛かって留められる構成であれば、取付位置を容易にずらして変えることができる。例えば、立上げ面部２において仮の位置にパネル固定具１０を取り付け、後にパネル固定具１０を立上げ面部２に沿ってずらすことで所望の位置へ移動させることができる。
【００３１】
仮に、立上げ面部２と駆体６との隙間が狭い場合、パネル固定具１０が立上げ面部２に取り付けられる際、下腕部１６が立上げ面部２と駆体６との隙間に通されると共に弾性変形する（図１８参照）。下腕部１６は、下方に向けて伸びると共に洗い場１の裏側に向けて湾曲している分、駆体６と接触する面が少なく、また、駆体６と接触しても駆体６に沿って円滑に摺動する。したがって、立上げ面部２と駆体６との隙間が狭い場合であっても容易に取り付けることができる。
【００３２】
パネル固定具１０によれば、パネル３におけるアングル４の被ネジ留部５が、パネル取付部１７のパネル第一取付部１８に当てられると共に、アングル４がパネル取付部１７のパネル第二取付部１９に当てられた状態で、上腕部１４が立上げ面部２とパネル３との隙間２１に倣った厚みに形成され、上腕部１４の前端に平坦な前端面部１５が形成されている（図１９参照）。この構成により、被ネジ留部５がパネル第一取付部１８に当てられると共に、アングル４が、パネル第二取付部１９および上腕部１４の前端面部１５に当てられ、隙間２１において、上腕部１４によってパネル３が支持される。すなわち、パネル取付部１７と上腕部１４との二点でパネル３が支持される。したがって、パネル固定具１０に対するパネル３の取付状態を安定させることができる。
【００３３】
パネル固定具１０によれば、洗い場取付部１１は、パネル第二取付部１９と段違いに連接された腕基部１２から、厚み方向において前側に、フック状の上腕部１４が伸び、また、腕基部１２の下端から、下方に向けて伸びると共に、厚み方向における前側に向けて、下腕部１６が湾曲している。一方で、パネル取付部１７は、パネル第一取付部１８およびパネル第二取付部１９が、段違いに連接されている（図３参照）。この構成により、種々の凹凸が形成され、この形状が、作業者が把持する際のいわゆる掴み代となることで、立上げ面部２への取り付け作業を簡便にすることができる。
【００３４】
以上、本発明の実施形態を詳述したが、本発明は上記実施形態に限定されるものではない。そして本発明は、特許請求の範囲に記載された事項を逸脱することがなければ、種々の設計変更を行うことが可能である。例えば、屋内外の種々の洗い場に用いられる。
【符号の説明】
【００３５】
１                    洗い場
２                    立上げ面部
３                    パネル
４                    アングル
５                    被ネジ留部
６                    躯体
１０，１１０          パネル固定具
１１                  洗い場取付部
１２                  腕基部
１３                  係止部
１４                  上腕部
１５                  前端面部
１６                  下腕部
１７                  パネル取付部
１８                  パネル第一取付部
１９                  パネル第二取付部
２０                  ネジ孔
２１                  隙間
【図１】
2019035229.tif 000003
【図２】
2019035229.tif 000004
【図３】
2019035229.tif 000005
【図４】
2019035229.tif 000006
【図５】
2019035229.tif 000007
【図６】
2019035229.tif 000008
【図７】
2019035229.tif 000009
【図８】
2019035229.tif 000010
【図９】
2019035229.tif 000011
【図１０】
2019035229.tif 000012
【図１１】
2019035229.tif 000013
【図１２】
2019035229.tif 000014
【図１３】
2019035229.tif 000015
【図１４】
2019035229.tif 000016
【図１５】
2019035229.tif 000017
【図１６】
2019035229.tif 000018
【図１７】
2019035229.tif 000019
【図１８】
2019035229.tif 000020
【図１９】
2019035229.tif 000021